【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】  
【請求項１】  （ａ）アニオン性界面活性剤、両性界面活性剤、カチオン性界面活性剤、非イオン性界面活性剤、及び双性イオン界面活性剤から成る群から選ばれる１つの界面活性剤成分５〜５０重量％；
（ｂ）水溶性有機両性ポリマーコンディショニング剤０．０５〜１０重量％；
（ｃ）水溶性有機カチオン性ポリマーコンディショニング剤０．０５〜１０重量％；
（ｄ）水不溶性液体０〜７０重量％；及び
（ｅ）水性キャリヤー
を含み、（ｂ）の前記両性ポリマーコンディショニング剤が、（Ａ）少なくとも１つのエチレン不飽和カチオン性モノマー、及び、（Ｂ）少なくとも１つのエチレン不飽和酸含有モノマーから構成されているコンディショニング組成物。
【請求項２】  成分（ａ）が、５〜２５重量％の濃度にあり、そして、アニオン性界面活性剤と非イオン性界面活性剤との両方を含む、請求項１に記載のコンディショニング組成物。
【請求項３】  前記両性ポリマーコンディショニング剤が、（Ａ）少なくとも１つのエチレン不飽和カチオン性モノマー、（Ｂ）少なくとも１つのエチレン不飽和酸含有モノマー、及び（Ｃ）エチレン不飽和非イオン性モノマーであるモノマー０〜８０モル％から構成されている、請求項１に記載のコンディショニング組成物。
【請求項４】  前記エチレン不飽和酸含有モノマーが、カルボン酸とスルホン酸とから成る酸の群から選ばれる、請求項３に記載のコンディショニング組成物。
【請求項５】  前記両性ポリマーコンディショニング剤は：
（Ａ）アルキルアクリルアミドプロピル―ジメチルアンモニウムハロゲン化物、アルキルメタクリルアミドプロピルジメチルアンモニウムハロゲン化物、アルキルアクリロイルオキシエチルジメチルアンモニウムハロゲン化物、アルキルメタクリロイルオキシエチルジメチルアンモニウムハロゲン化物、及びジアルキルジアリルアンモニウムハロゲン化物から成る群から選ばれる少なくとも１つのモノマー１〜９９モル％；
（Ｂ）アクリル酸（ＡＡ）、メタクリル酸（ＭＡＡ）、２−アクリルアミド―２−メチルプロパンスルホン酸（ＡＭＰＳＡ）２−メタクリルアミド―２−メチルプロパンスルホン酸（ＭＡＭＰＳＡ）、ｎ―メタクリルアミドプロピル，ｎ，ｎ―ジメチル，アミノ酢酸、ｎ―アクリルアミドプロピル，ｎ，ｎ―ジメチル，アミノ酢酸、ｎ―メタクリロイルオキシエチル，ｎ，ｎ―ジメチル，アミノ酢酸、及びｎ―アクリロイルオキシエチル，ｎ，ｎ―ジメチル，アミノ酢酸から成る群から選ばれる少なくとも１つのモノマー１〜９９モル％；及び
（Ｃ）Ｃ１〜Ｃ２２直鎖又は枝分かれ鎖アルキルアクリレート又はメタクリレート、Ｃ１〜Ｃ２２直鎖又は枝分かれ鎖ｎ―アルキルアクリルアミド又はメタクリルアミド、アクリルアミドメチルアクリルアミド、ｎ―ビニルピロリドン、ビニルアセテート又はエトキシル化及びプロポキシル化アクリレート又はメタクリレートから成る群から選ばれる少なくとも１つのモノマー０〜８０モル％；
から構成され、粘度計で測定した重量平均分子量が１００，０００〜１０，０００，０００である、請求項３に記載のコンディショニング組成物。
【請求項６】  （Ｃ）は、この両性ポリマー中に、１〜４０モル％の濃度で存在し、Ｃ１〜Ｃ２２アクリレートエステル、Ｃ１〜Ｃ２２メタクリレートエステル、アクリルアミド、及びＣ１〜Ｃ２２ｎ―アルキルアクリルアミドから成る群から選ばれる少なくとも１つのモノマーであり、前記Ｃ１〜Ｃ２２アクリレートエステルは、メチル、エチル、ブチル、オクチル、ラウリル、及びステアリルアクリレートエステルから成る群から選ばれ、前記Ｃ１〜Ｃ２２メタクリレートエステルは、メチル、エチル、ブチル、オクチル、ラウリル、及びステアリルメタクリレートエステルから成る群から選ばれ、前記Ｃ１〜Ｃ２２ｎ―アルキルアクリルアミドが、ｎ−メチル、ｎ―エチル、ｎ―ブチル、ｎ―オクチル、ｔ―オクチル、ｎ―ラウリル、及びｎ―ステアリルアクリルアミド及びメタクリルアミドから成る群から選ばれる、請求項５に記載のコンディショニング組成物。
【請求項７】  （Ａ）のモノマーが、ＭＡＰＴＡＣ、ＡＰＴＡＣ、ＡＥＴＡＣ、ＭＥＴＡＣ、ＭＥＴＡＭＳ、及びＤＭＤＡＡＣから成る群から選ばれ、（Ｂ）のモノマーは、アクリル酸、メタクリル酸、及びＡＭＰＳＡから成る群から選ばれる、請求項６に記載のコンディショニング組成物。
【請求項８】  さらに、シリーコーンコンディショニング剤と、炭化水素油、１０〜２２個の炭素原子を有する脂肪酸エステル、及びこれらの混合物から成る群から選ばれる１つの有機水不溶性液体０．０５〜５重量％とを含み、（ａ）の前記アニオン性界面活性剤は、ラウリルスルフェート、ラウリルエーテルスルフェート、α―オレフィンスルホネート、及びこれらのアンモニウム、ナトリウム、及びアミン塩から成る群から選ばれ；（ａ）の前記非イオン性界面活性剤は、脂肪ジ又はモノエタノールアミド、ポリエチレン又はポリプロピレングリコールのモノ又はジ脂肪酸エステル、及びＣ１〜Ｃ６グリコールのモノ又はジ脂肪酸エステルから成る群から選ばれ；シリコーンコンディショニング剤は、ジメチコーン、シクロメチコーン、トリメチルシリルアモジメチコーン、フェニルトリメチコーン、トリメチルシロキシシリケート、ポリオルガノシロキサン、ポリアルキルシロキサン、ポリアリールシロキサン、ポリアルカリールシロキサン、及びポリエステルシロキサンコポリマーから成る群から選ばれる、請求項１に記載のコンディショニング組成物。
【請求項９】  前記両性ポリマー及びカチオン性ポリマーコンディショニング剤は、水：シャンプー組成物重量比２０：１において、成分（ａ）、（ｂ）、及び（ｃ）の水での希釈時に、錯コアセルベート形態で存在する、請求項１に記載のコンディショニング組成物。
【請求項１０】  基質と請求項１の組成物とを接触させることを含む、ケラチンベースの基質を処理する方法。
【請求項１１】  （ａ）アニオン性界面活性剤、両性界面活性剤、カチオン性界面活性剤、非イオン性界面活性剤、及び双性イオン界面活性剤から成る群から選ばれる１つの界面活性剤成分５〜５０重量％；
（ｂ）水溶性有機両性ポリマーコンディショニング剤０．０５〜１０重量％；
（ｃ）水溶性有機カチオン性ポリマーコンディショニング剤０．０５〜１０重量％；
（ｄ）水不溶性液体０〜７０重量％；及び
（ｅ）水性キャリヤー
を含み、
前記両性ポリマーコンディショニング剤は：
（Ａ）アルキルアクリルアミドプロピル―ジメチルアンモニウムハロゲン化物、アルキルメタクリルアミドプロピルジメチルアンモニウムハロゲン化物、アルキルアクリロイルオキシエチルジメチルアンモニウムハロゲン化物、アルキルメタクリロイルオキシエチルジメチルアンモニウムハロゲン化物、及びジアルキルジアリルアンモニウムハロゲン化物から成る群から選ばれる少なくとも１つのモノマー１〜９９モル％；
（Ｂ）アクリル酸（ＡＡ）、メタクリル酸（ＭＡＡ）、２−アクリルアミド―２−メチルプロパンスルホン酸（ＡＭＰＳＡ）２−メタクリルアミド―２−メチルプロパンスルホン酸（ＭＡＭＰＳＡ）、ｎ―メタクリルアミドプロピル，ｎ，ｎ―ジメチル，アミノ酢酸、ｎ―アクリルアミドプロピル，ｎ，ｎ―ジメチル，アミノ酢酸、ｎ―メタクリロイルオキシエチル，ｎ，ｎ―ジメチル，アミノ酢酸、及びｎ―アクリロイルオキシエチル，ｎ，ｎ―ジメチル，アミノ酢酸から成る群から選ばれる少なくとも１つのモノマー１〜９９モル％；及び
（Ｃ）Ｃ１〜Ｃ２２直鎖又は枝分かれ鎖アルキルアクリレート又はメタクリレート、Ｃ１〜Ｃ２２直鎖又は枝分かれ鎖ｎ―アルキルアクリルアミド又はメタクリルアミド、アクリルアミドメチルアクリルアミド、ｎ―ビニルピロリドン、ビニルアセテート又はエトキシル化及びプロポキシル化アクリレート又はメタクリレートから成る群から選ばれる少なくとも１つのモノマー０〜８０モル％；
から構成され、粘度計で測定した重量平均分子量が１００，０００〜１０，０００，０００であり、
前記水溶性有機両性ポリマーコンディショニング剤におけるモル比（Ａ）：（Ｂ）が、約２５：７５〜約７５：２５である
コンディショニング組成物。
【請求項１２】  （Ａ）の少なくとも１つのモノマーは、（Ｂ）の少なくとも１つのモノマーに対するモル比（Ａ）：（Ｂ）２５：７５〜７５：２５の比で存在し、（Ｃ）の少なくとも１つのモノマーが、約１〜約３５モル％の量で存在し、そして、（ｂ）の前記両性ポリマーコンディショニング剤が、（１）４５モル％ＭＡＰＴＡＣ、４５モル％アクリル酸、及び１０モル％メタクリレートから構成される１つのポリマーと、（２）３０モル％ＤＭＤＡＡＣ、３５モル％アクリル酸、及び３５モル％アクリルアミドから構成される１つのポリマーとから成るポリマーの群から選ばれ；（ｃ）の前記カチオン性ポリマーコンディショニング剤は、（１）トリメチルアンモニウム置換エポキシドと反応したヒドロキシエチルセルロースのポリマー第四アンモニウ塩；（２）ヒドロキシプロピルグアールの第四アンモニウム誘導体；及び（３）デンプンの第四アンモニウム誘導体から成るポリマーの群から選ばれる、請求項１１に記載のコンディショニング組成物。
【請求項１３】  （ａ）は、１５重量％のアニオン性界面活性剤と、１〜２重量％の非イオン性界面活性剤とを含み、（ｂ）は、０．０５〜１．５％の両性ポリマーコンディショニング剤を含み、そして、（ｃ）は、前記カチオン性ポリマーコンディショニング剤０．０５〜０．４重量％を含んでいる、請求項１２に記載の組成物と毛髪とを接触させることを含む、毛髪の処理方法。